(57)【要約】【課題】極めて容易に様々な配索経路に対応して嵩張りなく配索することが可能ワイヤハーネス及びその製造方法を提供する。【解決手段】複数のケーブル１３を平面状に一体化したフラットケーブル１４からなるワイヤハーネス１１であって、フラットケーブル１４のケーブル１３同士の間に長手方向へ沿うスリット２２が形成されてケーブル１３がそれぞれ単線に分離され、単線のケーブル１３がフラットケーブル１４の幅方向の中央部に束ねられた経路変換部２１を有する。【選択図】図２
2012069259.tif 000002
【特許請求の範囲】
【請求項１】
複数のケーブルを平面状に一体化したフラットケーブルからなるワイヤハーネスであって、
前記フラットケーブルの前記ケーブル同士の間に長手方向へ沿うスリットが形成されて前記ケーブルがそれぞれ単線に分離され、単線の前記ケーブルが前記フラットケーブルの幅方向の中央部に束ねられた経路変換部を有することを特徴とするワイヤハーネス。
【請求項２】
前記スリットは、前記フラットケーブルの幅方向の中央側から幅方向の両側へ向かって次第に長くされていることを特徴とする請求項１に記載のワイヤハーネス。
【請求項３】
複数のケーブルを平面状に一体化したフラットケーブルからなるワイヤハーネスの製造方法であって、
前記フラットケーブルの所定位置において前記ケーブル同士の間に長手方向へ沿うスリットを形成して前記ケーブルを単線に分離させる分離工程と、
前記所定位置における前記ケーブルを前記フラットケーブルの幅方向の中央で束ねる結束工程と、を含むことを特徴とするワイヤハーネスの製造方法。
【請求項４】
前記分離工程では、前記スリットを、前記フラットケーブルの幅方向の中央側から幅方向の両側へ向かって次第に長く形成することを特徴とする請求項３に記載のワイヤハーネスの製造方法。
【発明の詳細な説明】
【技術分野】
【０００１】
本発明は、自動車等に用いられるワイヤハーネス及びその製造方法に関する。
【背景技術】
【０００２】
例えば、自動車のセンターコンソール等に配索される電気配線用のワイヤハーネスとして、複数のケーブルを平面状に配列させたフラットケーブルからなるものがある。
【０００３】
ところで、ワイヤハーネスは、センターコンソール等の被配索側の形状や被配索側に取り付けられた周辺部品等によって、配索経路を直線状とすることができないため、屈曲させて配線しなければならない場合がある。このような場合、ワイヤハーネスがフラットケーブルであると、その屈曲部分で嵩張りが生じてしまう。
【０００４】
このため、フラットケーブルを細幅状の複数の小ケーブル部に分割し、複数の小ケーブル部を所定の方向に折曲げて上下方向に重ねて配線する技術が知られている（例えば、特許文献１参照）。
【０００５】
また、フレキシブルフラットケーブルの長手方向に対して所要角度をなす直線に沿って、平角導体ラインのある部分以外の部分に透孔を設け、透孔に沿ってフレキシブルフラットケーブルを折り曲げて配索を行う技術も知られている（例えば、特許文献２参照）。
【先行技術文献】
【特許文献】
【０００６】
【特許文献１】特開平９−６３３５７号公報
【特許文献２】特開２００１−９３３４２号公報
【発明の概要】
【発明が解決しようとする課題】
【０００７】
ところが、上記のように、フラットケーブルを折り返して経路変更を行う場合、その折り返し部分における厚みが厚くなり、また、フラットケーブルの復元力で折り返し部分が浮き上がってしまう。
【０００８】
また、折り返して経路変更する場合、僅かな経路変更に対応することが困難であり、さらには、配索経路が円弧形状である場合、２回以上の折り返しが必要となり、配索作業の煩雑化を招いてしまう。
【０００９】
本発明は、上述した事情に鑑みてなされたものであり、その目的は、極めて容易に様々な配索経路に対応して嵩張りなく配索することが可能ワイヤハーネス及びその製造方法を提供することにある。
【課題を解決するための手段】
【００１０】
前述した目的を達成するために、本発明に係るワイヤハーネスは、下記（１）または（２）を特徴としている。
（１）  複数のケーブルを平面状に一体化したフラットケーブルからなるワイヤハーネスであって、
前記フラットケーブルの前記ケーブル同士の間に長手方向へ沿うスリットが形成されて前記ケーブルがそれぞれ単線に分離され、単線の前記ケーブルが前記フラットケーブルの幅方向の中央部に束ねられた経路変換部を有すること。
（２）  上記（１）の構成のワイヤハーネスにおいて、
前記スリットは、前記フラットケーブルの幅方向の中央側から幅方向の両側へ向かって次第に長くされていること。
【００１１】
上記（１）の構成のワイヤハーネスでは、単線のケーブルがフラットケーブルの幅方向の中央部に束ねられた経路変換部を有するので、この経路変換部にて嵩張りなく容易に屈曲または湾曲させることができる。これにより、周辺部品等を有するために屈曲または湾曲せざるを得ない配索経路や若干の経路変更を有する配索経路においても、嵩張りなく柔軟に配索させることができる。これにより、フラットケーブルからなるワイヤハーネスの配索作業性を大幅に向上させることができ、配索の適用可能箇所を増加させることができる。
上記（２）の構成のワイヤハーネスでは、スリットが、フラットケーブルの幅方向の中央側から、屈曲または湾曲させた際に周長変化が大きくなる幅方向の両側へ向かって次第に長くされているので、無理なく屈曲または湾曲させることができ、配索作業性のさらなる向上を図ることができる。
【００１２】
また、上述した目的を達成するために、本発明に係るワイヤハーネスの製造方法は、下記（３）または（４）を特徴としている。
（３）  複数のケーブルを平面状に一体化したフラットケーブルからなるワイヤハーネスの製造方法であって、
前記フラットケーブルの所定位置において前記ケーブル同士の間に長手方向へ沿うスリットを形成して前記ケーブルを単線に分離させる分離工程と、
前記所定位置における前記ケーブルを前記フラットケーブルの幅方向の中央で束ねる結束工程と、を含むこと。
（４）  上記（３）のワイヤハーネスの製造方法において、
前記分離工程では、前記スリットを、前記フラットケーブルの幅方向の中央側から幅方向の両側へ向かって次第に長く形成すること。
【００１３】
上記（３）のワイヤハーネスの製造方法では、フラットケーブルの所定位置においてケーブル同士の間に長手方向へ沿うスリットを形成してケーブルを単線に分離させ、分離させたケーブルをフラットケーブルの幅方向の中央で束ねることにより、嵩張りなく容易に屈曲または湾曲させることが可能なワイヤハーネスを製造することができる。これにより、周辺部品等を有するために屈曲または湾曲せざるを得ない配索経路においても、嵩張りなく柔軟に配索させることができ、フラットケーブルからなるワイヤハーネスの配索作業性を大幅に向上させることができ、配索の適用可能箇所を増加させることができる。
上記（４）のワイヤハーネスの製造方法では、分離工程で形成するスリットを、フラットケーブルの幅方向の中央側から、屈曲または湾曲させた際に周長変化が大きくなる幅方向の両側へ向かって次第に長くすることにより、無理なく屈曲または湾曲させることができるワイヤハーネスとすることができ、配索作業性のさらなる向上を図ることができる。
【発明の効果】
【００１４】
本発明によれば、極めて容易に様々な配索経路に対応して嵩張りなく配索することが可能なワイヤハーネス及びその製造方法を提供できる。
【００１５】
以上、本発明について簡潔に説明した。更に、以下に説明される発明を実施するための形態を添付の図面を参照して通読することにより、本発明の詳細は更に明確化されるであろう。
【図面の簡単な説明】
【００１６】
【図１】ワイヤハーネスが配索されたセンターコンソールの斜視図である。
【図２】実施形態に係るワイヤハーネスの経路変換部における平面図である。
【図３】経路変換部におけるケーブルの分離状態を示す平面図である。
【図４】経路変換部におけるケーブルのスリットの長さを示す概略平面図である。
【図５】ワイヤハーネスの経路変換部における屈曲状態を示す平面図である。
【図６】経路変換部のないフラットケーブルからなるワイヤハーネスを屈曲させた状態を示す平面図である。
【発明を実施するための形態】
【００１７】
以下、本発明に係る実施の形態の例を、図面を参照して説明する。
【００１８】
図１はワイヤハーネスが配索されたセンターコンソールの斜視図、図２は実施形態に係るワイヤハーネスの経路変換部における平面図、図３は経路変換部におけるケーブルの分離状態を示す平面図、図４は経路変換部におけるケーブルのスリットの長さを示す概略平面図、図５はワイヤハーネスの経路変換部における屈曲状態を示す平面図である。
【００１９】
図１に示すように、ワイヤハーネス１１は、例えば、自動車等の車両に組み付けられるセンターコンソール１２の配索面１２ａの配索経路Ａに配索される。
【００２０】
配索面１２ａにおけるワイヤハーネス１１の配索経路Ａは、センターコンソール１２の形状やセンターコンソール１２に取り付けられた周辺部品等のために、複数の屈曲部Ｂを有した経路となっており、ワイヤハーネス１１は、これらの複数の屈曲部Ｂを含む配索経路Ａに沿って配索される。
【００２１】
このワイヤハーネス１１は、図２に示すように、複数本のケーブル１３を平面状に配列させて外被によって一体化させたフラットケーブル１４から構成されている。
【００２２】
このワイヤハーネス１１は、その一部に、経路変換部２１を有している。この経路変換部２１では、図３及び図４に示すように、フラットケーブル１４の所定位置にてケーブル１３同士の間に長手方向へ沿ってスリット２２が形成されており、これにより、フラットケーブル１４が単線のケーブル１３に分離されている。
【００２３】
そして、このように単線のケーブル１３に分離された箇所は、フラットケーブル１４の幅方向の中央部にて、テープ２３によって断面丸形状に束ねられており、このケーブル１３が束ねられた箇所が経路変換部２１とされている。
【００２４】
この経路変換部２１におけるケーブル１３同士の間のスリット２２は、フラットケーブル１４の幅方向の中央から幅方向の両側へ向かって次第に長さが長くされている。
【００２５】
次に、上記の経路変換部２１を有するワイヤハーネス１１を製造する場合について説明する。
【００２６】
ワイヤハーネス１１を製造するには、まず、経路変換部２１を形成するフラットケーブル１４の所定位置において、ケーブル１３同士の間に長手方向へ沿うスリット２２を形成してケーブル１３を単線に分離させる（分離工程）。
【００２７】
このとき、スリット２２を、フラットケーブル１４の幅方向の中央側から幅方向の両側へ向かって次第に長く形成する。
【００２８】
次に、所定位置におけるケーブル１３をフラットケーブル１４の幅方向の中央でテープ２３によって束ねる（結束工程）。
【００２９】
上記工程を行うことにより、極めて容易に、所定位置に、単線のケーブル１３が断面丸形状に束ねられた経路変換部２１を有するワイヤハーネス１１を製造することができる。
【００３０】
そして、この経路変換部２１を有するワイヤハーネス１１では、図５に示すように、その経路変換部２１において、極めて容易に屈曲または湾曲させることができる。したがって、経路変換部２１を屈曲部Ｂにて屈曲させることにより、極めて容易に、屈曲部Ｂを有する配索経路Ａに沿わせてワイヤハーネス１１を配索することができる。そして、センターコンソール１２の配索面１２ａに設けられた周辺部品の筺体Ｃの円弧面に経路変換部２１を湾曲させて沿わせることにより、周辺部品の筺体Ｃを有する配索面１２ａへ容易に、配索することができる。
【００３１】
ここで、経路変換部２１が設けられていないフラットケーブル１４からなるワイヤハーネス１１では、図６に示すように、屈曲部Ｂに沿ってワイヤハーネス１１を屈曲させると、その屈曲方向の内方側が圧縮されて盛り上がり、嵩張ってしまう。
【００３２】
これに対して、本実施形態によれば、経路変換部２１にて嵩張りなく容易に屈曲または湾曲させることができるので、周辺部品等を有するために屈曲または湾曲せざるを得ない配索経路や若干の経路変更を有する配索経路においても、ワイヤハーネス１１を嵩張りなく柔軟に配索させることができる。つまり、フラットケーブル１４からなるワイヤハーネス１１の配索作業性を大幅に向上させることができ、配索の適用可能箇所を増加させることができる。
【００３３】
また、スリット２２は、フラットケーブル１４の幅方向の中央側から、屈曲させた際に周長変化が大きくなる幅方向の両側へ向かって次第に長くされているので、経路変換部２１において、無理なく屈曲または湾曲させることができ、配索作業性のさらなる向上を図ることができる。
【００３４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３５】
１１  ワイヤハーネス
１３  ケーブル
１４  フラットケーブル
２１  経路変換部
２２  スリット
２３  テープ
【図１】
2012069259.tif 000003
【図２】
2012069259.tif 000004
【図３】
2012069259.tif 000005
【図４】
2012069259.tif 000006
【図５】
2012069259.tif 000007
【図６】
2012069259.tif 000008